(57)【要約】    【課題】  偏光変換素子から射出される照明光束の偏光度の低下を極力抑制することが可能で、かつ、投写面上で均一な面内表示特性を得ることが可能なプロジェクタを提供する。    【解決手段】  光源装置１１０と、インテグレータロッド１４０と、偏光分離層１５２Ａ、反射層１５４Ａ及びλ／２板１５６Ａを有する偏光変換素子１５０Ａとを有する照明装置１００と、照明装置１００からの照明光束を画像情報に応じて変調する液晶装置４００Ｒ，４００Ｇ，４００Ｂと、液晶装置４００Ｒ，４００Ｇ，４００Ｂによって変調された光を投写する投写光学系６００とを備えるプロジェクタ１０００であって、  照明装置１００は、液晶装置４００Ｒ，４００Ｇ，４００Ｂの画像形成領域ＩＡと共役な位置に光射出面１６０Ａｏを有し、偏光変換素子１５０Ａから射出される照明光束の面内光強度分布を均一化する機能を有する導光部材１６０Ａをさらに有する。【選択図】  図１
2007072250.tif 000002
【特許請求の範囲】
【請求項１】
被照明領域側に集束性の照明光束を射出する光源装置と、前記光源装置からの照明光束をより均一な面内光強度分布を有する照明光束に変換するインテグレータロッドと、前記インテグレータロッドからの照明光束のうち一方の直線偏光成分に係る光束を透過し他方の直線偏光成分に係る光束を反射する偏光分離層、前記偏光分離層からの他方の直線偏光成分に係る光束を照明光軸に平行な方向に向けて反射する反射層及び前記偏光分離層を透過した光束が通過する部分又は前記反射層で反射された光束が通過する部分のいずれかに配置されるλ／２板を有する偏光変換素子とを有する照明装置と、
前記照明装置からの照明光束を画像情報に応じて変調する電気光学変調装置と、
前記電気光学変調装置によって変調された光を投写する投写光学系とを備えるプロジェクタであって、
前記照明装置は、前記電気光学変調装置の画像形成領域と略共役な位置に光射出面を有し、前記偏光変換素子から射出される照明光束の面内光強度分布を均一化する機能を有する導光部材をさらに有することを特徴とするプロジェクタ。
【請求項２】
請求項１に記載のプロジェクタにおいて、
前記導光部材における照明光軸方向に沿った長さは、５ｍｍ〜３０ｍｍの範囲内であることを特徴とするプロジェクタ。
【請求項３】
請求項１又は２に記載のプロジェクタにおいて、
前記導光部材は、中空の導光部材であることを特徴とするプロジェクタ。
【請求項４】
請求項１又は２に記載のプロジェクタにおいて、
前記導光部材は、中実の導光部材であることを特徴とするプロジェクタ。
【請求項５】
請求項４に記載のプロジェクタにおいて、
前記偏光変換素子の光射出面と前記導光部材の光入射面とは、接着されていることを特徴とするプロジェクタ。
【請求項６】
請求項１〜５のいずれかに記載のプロジェクタにおいて、
前記導光部材の光射出面の平面形状は、前記電気光学変調装置の画像形成領域の平面形状と略相似形であることを特徴とするプロジェクタ。
【請求項７】
請求項１〜６のいずれかに記載のプロジェクタにおいて、
前記偏光変換素子は、前記偏光分離層を有する偏光分離プリズムと、前記反射層を有する反射プリズムとをさらに有し、
前記偏光分離プリズムと前記反射プリズムとの間には、低屈折率層が配設されていることを特徴とするプロジェクタ。
【請求項８】
請求項７に記載のプロジェクタにおいて、
前記低屈折率層は、空気層であることを特徴とするプロジェクタ。
【請求項９】
請求項８に記載のプロジェクタにおいて、
前記偏光分離プリズムにおける前記反射プリズムと対向する面及び前記反射プリズムにおける前記偏光分離プリズムと対向する面には、減反射膜がコーティングされていることを特徴とするプロジェクタ。
【請求項１０】
請求項７〜９のいずれかに記載のプロジェクタにおいて、
前記インテグレータロッドの光射出面と前記偏光分離プリズムの光入射面とは、接着されていることを特徴とするプロジェクタ。
【請求項１１】
請求項１０に記載のプロジェクタにおいて、
前記偏光分離プリズムの光入射面の平面形状は、前記インテグレータロッドの光射出面の平面形状と略同一であることを特徴とするプロジェクタ。
【発明の詳細な説明】
【技術分野】
【０００１】
本発明は、プロジェクタに関する。
【背景技術】
【０００２】
従来より、偏光光を用いる電気光学変調装置（例えば、液晶装置。）を備えるプロジェクタとして、偏光変換素子を有する照明装置を備えるプロジェクタが種々提案されている。
【０００３】
上記のプロジェクタの例として、照明光束を射出する光源装置、光源装置の光路後段に配置される偏光変換素子及び偏光変換素子の光路後段に配置されるインテグレータロッドを有する照明装置と、照明装置からの照明光束を画像情報に応じて変調する電気光学変調装置と、電気光学変調装置によって変調された光を投写する投写光学系とを備えるプロジェクタ（以下、従来のプロジェクタという。）が知られている（例えば、特許文献１参照。）。
【０００４】
従来のプロジェクタによれば、偏光変換素子を備えているため、光源装置からの照明光束を１種類の直線偏光光に変換することが可能となる。また、インテグレータロッドを備えているため、光源装置からの照明光束をより均一な面内光強度分布を有する照明光束に変換することが可能となり、画像形成領域に照射される照明光の面内光強度分布を均一なものとすることが可能となる。
【０００５】
しかしながら、従来のプロジェクタにおいては、偏光変換素子の光路後段にインテグレータロッドが配置されているため、偏光変換素子の機能によって光源装置からの照明光束を１種類の直線偏光光に変換したとしても、インテグレータロッドの内面で多重反射されることにより、偏光変換素子から射出される照明光束の偏光度が低下してしまうという問題があった。
【０００６】
ところで、偏光変換素子を有する照明装置を備えるプロジェクタの他の例として、照明光束を射出する光源装置、光源装置の光路後段に配置されるインテグレータロッド及びインテグレータロッドの光路後段に配置される偏光変換素子を有する照明装置と、照明装置からの照明光束を画像情報に応じて変調する電気光学変調装置と、電気光学変調装置によって変調された光を投写する投写光学系とを備えるプロジェクタ（以下、従来の他のプロジェクタという。）が知られている（例えば、特許文献２参照。）。
【０００７】
従来の他のプロジェクタによれば、従来のプロジェクタと同様に、偏光変換素子を備えているため、光源装置からの照明光束を１種類の直線偏光光に変換することが可能となる。また、インテグレータロッドを備えているため、光源装置からの照明光束をより均一な面内光強度分布を有する照明光束に変換することが可能となり、画像形成領域に照射される照明光の面内光強度分布を均一なものとすることが可能となる。
【０００８】
さらに、従来の他のプロジェクタによれば、偏光変換素子の光路後段にインテグレータロッドが配置されていないため、従来のプロジェクタのように偏光変換素子から射出される照明光束の偏光度が低下してしまうこともない。すなわち、従来の他のプロジェクタは、従来のプロジェクタにおける問題を解消することができるプロジェクタであるともいえる。
【０００９】
しかしながら、従来の他のプロジェクタにおいては、以下のような問題があった。図７は、従来の他のプロジェクタ９００における問題点を説明するために示す図である。図７（ａ）はプロジェクタ９００の光学系を示す図であり、図７（ｂ）は液晶装置９８０の画像形成領域Ｉａにおける面内光強度分布を示す図であり、図７（ｃ）は画像形成領域Ｉａにおける面内光強度分布をグラフ化して示す図である。
【００１０】
従来の他のプロジェクタ９００においては、図７（ｂ）及び図７（ｃ）に示すように、電気光学変調装置としての液晶装置９８０の画像形成領域Ｉａに照射される照明光の一部（図７（ｂ）及び図７（ｃ）における画像形成領域中央部Ｄ１の位置の照明光。）に光強度が小さな領域が発生してしまうため、画像形成領域Ｉａに照射される照明光の均一度が低下してしまい、結果として、投写面上で均一な面内表示特性を得ることが困難であるという問題があった。
【００１１】
以上のように、従来は、インテグレータロッド及び偏光変換素子を有する照明装置を備えるプロジェクタにおいて、偏光変換素子から射出される照明光束の偏光度が低下してしまうという問題と、投写面上で均一な面内表示特性を得ることが困難であるという問題とを同時に解決することが困難であった。
【００１２】
【特許文献１】特開２００５−１４０８３９号公報
【特許文献２】特開平１０−２３２４３０号公報
【発明の開示】
【発明が解決しようとする課題】
【００１３】
そこで、本発明は、上記のような問題を解決するためになされたもので、偏光変換素子から射出される照明光束の偏光度の低下を極力抑制することが可能で、かつ、投写面上で均一な面内表示特性を得ることが可能なプロジェクタを提供することを目的とする。
【課題を解決するための手段】
【００１４】
本発明の発明者は、上記目的を達成するため、従来の他のプロジェクタのように、インテグレータロッドの光路後段に偏光変換素子が配置された構成を有するプロジェクタにおいて、画像形成領域に照射される照明光の一部に光強度の小さな領域が発生する原因を究明すべく鋭意研究を行った結果、この原因は、偏光分離層を透過した光束が通過する偏光変換素子の光射出面の領域と、偏光分離層で反射されさらに反射層で反射された光束が通過する偏光変換素子の光射出面の領域との境界部分に、局所的な光の不均一性が存在することにあるという知見を得た。さらに、偏光変換素子の光射出面と電気光学変調装置の画像形成領域とが共役な関係にあることにより、このような局所的な光の不均一性が、画像形成領域に照射される照明光の一部に光強度の小さな領域として現れてしまい、画像形成領域に照射される照明光の均一度が低下することとなるという知見を得た。
【００１５】
そこで、本発明の発明者は、以上の知見に基づいて、インテグレータロッドの光路後段に偏光変換素子が配置された構成を有するプロジェクタにおいて、（ア）偏光変換素子の光路後段に、偏光変換素子から射出される照明光束の面内光強度分布を均一化する機能を有する導光部材を配置すること、及び（イ）電気光学変調装置の画像形成領域と共役な位置を、偏光変換素子の光射出面から導光部材の光射出面に移すこととすれば、偏光変換素子から射出される照明光束の偏光度の低下を抑制することが可能で、かつ、投写面上で均一な面内表示特性を得ることが可能となることに想到し、本発明を完成させるに至った。
【００１６】
すなわち、本発明のプロジェクタは、被照明領域側に集束性の照明光束を射出する光源装置と、前記光源装置からの照明光束をより均一な面内光強度分布を有する照明光束に変換するインテグレータロッドと、前記インテグレータロッドからの照明光束のうち一方の直線偏光成分に係る光束を透過し他方の直線偏光成分に係る光束を反射する偏光分離層、前記偏光分離層からの他方の直線偏光成分に係る光束を照明光軸に平行な方向に向けて反射する反射層及び前記偏光分離層を透過した光束が通過する部分又は前記反射層で反射された光束が通過する部分のいずれかに配置されるλ／２板を有する偏光変換素子とを有する照明装置と、前記照明装置からの照明光束を画像情報に応じて変調する電気光学変調装置と、前記電気光学変調装置によって変調された光を投写する投写光学系とを備えるプロジェクタであって、前記照明装置は、前記電気光学変調装置の画像形成領域と略共役な位置に光射出面を有し、前記偏光変換素子から射出される照明光束の面内光強度分布を均一化する機能を有する導光部材をさらに有することを特徴とする。
【００１７】
このため、本発明のプロジェクタによれば、偏光分離層を透過した光束が通過する偏光変換素子の光射出面の領域と、偏光分離層及び反射層で反射された光束が通過する偏光変換素子の光射出面の領域との境界部分に、局所的な光の不均一性が存在していたとしても、上記した導光部材の機能によって、導光部材から射出される照明光束の面内光強度分布を均一なものとすることができる。また、導光部材の光射出面を、電気光学変調装置の画像形成領域と略共役な関係としたため、画像形成領域に照射される照明光の均一度の低下を抑制することができる。その結果、投写面上で均一な面内表示特性を得ることが可能となる。
【００１８】
また、本発明のプロジェクタによれば、上記のように、インテグレータロッドの光路後段に偏光変換素子が配置されているため、偏光変換素子から射出される照明光束の偏光度の低下を極力抑制することができる。
【００１９】
このため、本発明のプロジェクタは、偏光変換素子から射出される照明光束の偏光度の低下を極力抑制することが可能で、かつ、投写面上で均一な面内表示特性を得ることが可能なプロジェクタとなる。
【００２０】
本発明のプロジェクタにおいては、前記導光部材における照明光軸方向に沿った長さは、５ｍｍ〜３０ｍｍの範囲内であることが好ましい。
【００２１】
導光部材における照明光軸方向に沿った長さが５ｍｍ以上であると、偏光変換素子から射出される照明光束の偏光度の低下を極力抑制することを可能としつつ、導光部材における所定の光均一化効果を得ることが可能となり、投写面上で均一な面内表示特性を得ることが可能となる。
一方、導光部材における照明光軸方向に沿った長さが３０ｍｍ以下であると、投写面上でさらに均一な面内表示特性を得ることを可能としつつ、偏光変換素子から射出される照明光束の偏光度の低下を極力抑制することが可能となる。
以上のような観点から、導光部材における照明光軸方向に沿った長さは、５ｍｍ〜３０ｍｍの範囲内であることが好ましい。
【００２２】
本発明のプロジェクタにおいては、前記導光部材は、中空の導光部材であってもよいし、中実の導光部材であってもよい。
【００２３】
中空の導光部材としては、例えば４枚の反射ミラーにおける反射面を内側に向けて貼り合わせた筒状のライトトンネルなどを好適に用いることができる。また、中実の導光部材としては、例えば内面全反射タイプの中実の光学ブロックなどを好適に用いることができる。
【００２４】
前記導光部材として中実の導光部材を用いる場合には、前記偏光変換素子の光射出面と前記導光部材の光入射面とは、接着されていることが好ましい。
【００２５】
このように構成することにより、偏光変換素子と導光部材との間における望ましくない多重反射が抑制され、光利用効率が低下したり迷光レベルが上昇したりすることがなくなる。また、偏光変換素子と導光部材とを容易に一体化することができる。また、偏光変換素子と導光部材との間において、装置組み立て後における位置ずれの発生を未然に防止することができる。
【００２６】
この場合、偏光変換素子の基材（偏光変換素子における偏光分離層、反射層及びλ／２板以外の部分）と導光部材とは同一の材料からなることが好ましく、偏光変換素子の基材及び導光部材とほぼ同じ屈折率を有する接着剤を用いることがより好ましい。
【００２７】
本発明のプロジェクタにおいては、前記導光部材の光射出面の平面形状は、前記電気光学変調装置の画像形成領域の平面形状と略相似形であることが好ましい。
【００２８】
このように構成することにより、導光部材から射出される照明光束における光利用効率の向上を図ることが可能となる。
【００２９】
本発明のプロジェクタにおいては、前記偏光変換素子は、前記偏光分離層を有する偏光分離プリズムと、前記反射層を有する反射プリズムとをさらに有し、前記偏光分離プリズムと前記反射プリズムとの間には、低屈折率層が配設されていることが好ましい。
【００３０】
インテグレータロッドの光路後段に偏光変換素子が配置された構成を有するプロジェクタにおいては、インテグレータロッドの内面で多重反射された照明光束がインテグレータロッドの光射出面から射出されるため、偏光変換素子の光入射面には様々な角度をもった光が入射することとなる。このような様々な角度をもった光の中には、偏光分離層に入射することなく偏光変換素子を通過してしまうような角度で偏光変換素子の光入射面に入射する光が存在している。このような光が偏光変換素子から射出されると、偏光方向の揃った１種類の偏光光の中に一部非偏光光が混入してしまうため、偏光変換素子から射出される照明光束の偏光度が低下してしまう。
【００３１】
しかしながら、本発明のプロジェクタによれば、偏光分離層を有する偏光分離プリズムと反射層を有する反射プリズムとの間に低屈折率層が配設されているため、偏光分離層に入射することなく偏光変換素子を通過してしまうような角度で偏光変換素子の光入射面に入射する光を、偏光分離プリズムと低屈折率層との界面で反射し、偏光分離層に確実に入射させることが可能となる。その結果、偏光変換素子から射出される照明光束の偏光度の低下をさらに抑制することが可能となる。
【００３２】
本発明のプロジェクタにおいては、前記低屈折率層は、空気層であることが好ましい。
【００３３】
このように構成することにより、偏光分離プリズムと反射プリズムとを所定位置に並置するだけで上記の効果を得ることが可能となる。
【００３４】
ここで、偏光分離プリズムと反射プリズムとの間隔が１μｍ未満であると、偏光分離層に入射することなく偏光変換素子を通過してしまうような角度で偏光変換素子の光入射面に入射する光が、偏光分離プリズムと空気層との界面で反射されずにそのまま偏光変換素子を通過してしまうおそれがあり、偏光変換素子から射出される照明光束の偏光度の低下を抑制することが容易ではなくなる。一方、偏光分離プリズムと反射プリズムとの間隔が１００μｍを超えると、この空気層にあたる部分が、画像形成領域に照射される照明光において光強度の小さな領域として現れてしまい、画像形成領域に照射される照明光の均一度が低下する結果、投写面上で均一な面内表示特性を得ることが容易ではなくなる。
【００３５】
このため、前記偏光分離プリズムと前記反射プリズムとの間隔は、１μｍ〜１００μｍの範囲内であることが好ましい。
【００３６】
このように構成することにより、偏光分離層に入射することなく偏光変換素子を通過してしまうような角度で偏光変換素子の光入射面に入射する光を、偏光分離プリズムと空気層との界面で反射し、偏光分離層に確実に入射させることが可能となる。その結果、偏光変換素子から射出される照明光束の偏光度の低下をさらに抑制することが可能となる。また、空気層にあたる部分が、画像形成領域に照射される照明光において光強度の小さな領域として現れてしまうことを抑制することができるため、画像形成領域に照射される照明光の均一度の低下を抑制することが可能となる。その結果、投写面上で均一な面内表示特性を容易に得ることが可能となる。
このような観点からいえば、偏光変換プリズムと反射プリズムとの間隔は、２μｍ〜１０μｍであることがさらに好ましい。
【００３７】
本発明のプロジェクタにおいては、前記偏光分離プリズムにおける前記反射プリズムと対向する面及び前記反射プリズムにおける前記偏光分離プリズムと対向する面には、減反射膜がコーティングされていることが好ましい。
【００３８】
このように構成することにより、偏光分離プリズムの偏光分離層で反射されて反射プリズムの反射層へと向かう光束について、偏光分離プリズムと空気層との界面及び空気層と反射プリズムとの界面における望ましくない反射が抑制され、光利用効率が低下したり迷光レベルが上昇したりすることがなくなる。
【００３９】
本発明のプロジェクタにおいては、前記インテグレータロッドの光射出面と前記偏光分離プリズムの光入射面とは、接着されていることが好ましい。
【００４０】
このように構成することにより、インテグレータロッドと偏光分離プリズムとの間における望ましくない多重反射が抑制され、光利用効率が低下したり迷光レベルが上昇したりすることがなくなる。また、インテグレータロッドと偏光分離プリズムとの間において、装置組み立て後における位置ずれの発生を未然に防止することができる。
【００４１】
本発明のプロジェクタにおいては、前記偏光分離プリズムの光入射面の平面形状は、前記インテグレータロッドの光射出面の平面形状と略同一であることが好ましい。
【００４２】
このように構成することにより、インテグレータロッドから射出される照明光束における光利用効率の向上を図ることができる。
【発明を実施するための最良の形態】
【００４３】
以下、本発明のプロジェクタについて、図に示す実施の形態に基づいて説明する。
【００４４】
［実施形態］
まず、実施形態に係るプロジェクタ１０００の構成について、図１及び図２を用いて説明する。
図１は、実施形態に係るプロジェクタ１０００の光学系を示す図である。図１（ａ）はプロジェクタ１０００の光学系を上から見た図であり、図１（ｂ）はプロジェクタ１０００の光学系を横から見た図であり、図１（ｃ）はインテグレータロッド１４０、偏光変換素子１５０Ａ及び導光部材１６０Ａの斜視図である。なお、図１（ｂ）においては、リレーレンズ３００よりも光路後段に配置されている光学系についての図示を省略している。
図２は、偏光変換素子１５０Ａの機能を説明するために示す概念図である。
【００４５】
なお、以下の説明においては、互いに直交する３つの方向をそれぞれｚ軸方向（図１（ａ）における照明光軸１００ａｘ方向）、ｘ軸方向（図１（ａ）における紙面に平行かつｚ軸に直交する方向）及びｙ軸方向（図１（ａ）における紙面に垂直かつｚ軸に直交する方向）とする。
【００４６】
実施形態に係るプロジェクタ１０００は、図１（ａ）及び図１（ｂ）に示すように、照明光束を射出する照明装置１００と、照明装置１００からの光を被照明領域に導くリレーレンズ３００と、リレーレンズ３００からの光を３つの色光に分離して被照明領域に導光する色分離導光光学系２００と、色分離導光光学系２００で分離された３つの色光のそれぞれを画像情報に応じて変調する電気光学変調装置としての３つの透過型の液晶装置４００Ｒ，４００Ｇ，４００Ｂと、液晶装置４００Ｒ，４００Ｇ，４００Ｂによって変調された色光を合成する色合成光学系としてのクロスダイクロイックプリズム５００と、クロスダイクロイックプリズム５００によって合成された光をスクリーンＳＣＲ等の投写面に投写する投写光学系６００とを備えるプロジェクタである。
【００４７】
照明装置１００は、照明光束を射出する光源装置１１０と、光源装置１１０からの照明光束をより均一な面内光強度分布を有する照明光束に変換するインテグレータロッド１４０と、インテグレータロッド１４０から射出される偏光方向の揃っていない照明光束を略１種類の直線偏光に揃える偏光変換素子１５０Ａと、偏光変換素子１５０Ａの光路後段に配置される導光部材１６０Ａとを備えている。
【００４８】
光源装置１１０は、楕円面リフレクタ１１４と、楕円面リフレクタ１１４の第１焦点近傍に発光中心を有する発光管１１２と、発光管１１２に設けられ、発光管１１２から被照明領域側に射出される光を楕円面リフレクタ１１４に向けて反射する反射手段としての補助ミラー１１６とを有している。光源装置１１０は、照明光軸１００ａｘを中心軸とする照明光束を射出する。
【００４９】
発光管１１２は、管球部と、管球部の両側に延びる一対の封止部とを有している。
楕円面リフレクタ１１４は、発光管１１２の一方の封止部に挿通・固着される筒状の首状部と、発光管１１２から放射された光を第２焦点位置に向けて反射する反射面とを有している。
【００５０】
補助ミラー１１６は、発光管１１２の他方の封止部に挿通・固着される筒状の首状部と、発光管１１２から放射された光をのうち楕円面リフレクタ１１４に向かわない光を発光管１１２に向けて反射する反射面とを有している。補助ミラー１１６の反射面によって反射された光は、楕円面リフレクタ１１４に入射した後、楕円面リフレクタ１１４によって被照明領域側に射出される。
【００５１】
インテグレータロッド１４０は、楕円面リフレクタ１１４の第２焦点近傍に光入射面１４０ｉを有し、インテグレータロッド１４０の内面で多重反射させることにより、光源装置１１０からの照明光束をより均一な面内光強度分布を有する照明光束に変換する機能を有する光学部材である。インテグレータロッド１４０としては、例えば、中実のガラスロッドを好適に用いることができる。
【００５２】
偏光変換素子１５０Ａは、図２に示すように、偏光分離層１５２Ａを有する偏光分離プリズム１５１Ａと、反射層１５４Ａを有する反射プリズム１５３Ａと、λ／２板１５６Ａとを有し、インテグレータロッド１４０からの照明光束の偏光方向を、偏光方向の揃った略１種類の直線偏光光として射出する機能を有している。
偏光分離層１５２Ａは、光源装置１１０からの照明光束に含まれる偏光成分のうち一方の直線偏光成分（Ｐ偏光成分）をそのまま透過し、他方の直線偏光成分（Ｓ偏光成分）を照明光軸１００ａｘに垂直な方向に反射する。反射層１５４Ａは、偏光分離層１５２Ａで反射された他方の直線偏光成分（Ｓ偏光成分）を照明光軸１００ａｘに平行な方向に反射する。λ／２板１５６Ａは、偏光分離層１５２Ａを透過した一方の直線偏光成分（Ｐ偏光成分）を他方の直線偏光成分（Ｓ偏光成分）に変換する。
【００５３】
導光部材１６０Ａは、偏光変換素子１５０Ａからの照明光束における面内光強度分布を均一化する機能を有する光学素子である。導光部材１６０Ａは、中実の導光部材であり、例えば内面全反射タイプの中実の光学ブロックなどを好適に用いることができる。導光部材１６０Ａにおける照明光軸１００ａｘ方向（ｚ軸方向）に沿った長さは、例えば、１０ｍｍに設定されている。
【００５４】
導光部材１６０Ａにおける照明光軸１００ａｘ方向に沿った長さが５ｍｍ以上であると、偏光変換素子１５０Ａから射出される照明光束の偏光度の低下を極力抑制することを可能としつつ、導光部材１６０Ａにおける所定の光均一化効果を得ることが可能となり、スクリーンＳＣＲ上で均一な面内表示特性を得ることが可能となる。
一方、導光部材１６０Ａにおける照明光軸１００ａｘ方向に沿った長さが３０ｍｍ以下であると、スクリーンＳＣＲ上でさらに均一な面内表示特性を得ることを可能としつつ、偏光変換素子１５０Ａから射出される照明光束の偏光度の低下を極力抑制することが可能となる。
以上のような観点から、導光部材１６０Ａにおける照明光軸１００ａｘ方向に沿った長さは、５ｍｍ〜３０ｍｍの範囲内であることが好ましい。
【００５５】
導光部材１６０Ａの光射出面１６０Ａｏと、液晶装置４００Ｒ，４００Ｇ，４００Ｂの画像形成領域ＩＡとは、共役な関係にある。
【００５６】
リレーレンズ３００は、後述する集光レンズ２８０Ｒ，２８０Ｇ，２８０Ｂとともに、照明装置１００からの照明光束を発散させずに液晶装置４００Ｒ，４００Ｇ，４００Ｂの画像形成領域ＩＡ上に結像させる機能を有している。なお、図１（ａ）及び図１（ｂ）に示すリレーレンズ３００は１枚のレンズで構成されているが、複数のレンズを組み合わせた複合レンズで構成されていてもよい。
【００５７】
色分離導光光学系２００は、第１ダイクロイックミラー２１０及び第２ダイクロイックミラー２２０と、反射ミラー２３０，２４０，２５０と、入射側レンズ２６０と、リレーレンズ２７０とを有している。色分離導光光学系２００は、リレーレンズ３００から射出される照明光束を、赤色光、緑色光及び青色光の３つの色光に分離して、それぞれの色光を照明対象となる３つの液晶装置４００Ｒ，４００Ｇ，４００Ｂに導く機能を有している。
【００５８】
第１ダイクロイックミラー２１０及び第２ダイクロイックミラー２２０は、基板上に所定の波長領域の光束を反射し、他の波長領域の光束を透過する波長選択膜が形成された光学素子である。第１ダイクロイックミラー２１０は、赤色光成分を反射し、その他の色光成分を透過するミラーである。第２ダイクロイックミラー２２０は、青色光成分を透過し、緑色光成分を反射するミラーである。
【００５９】
第１ダイクロイックミラー２１０で反射された赤色光成分は、反射ミラー２３０により曲折され、集光レンズ２８０Ｒを介して赤色光用の液晶装置４００Ｒの画像形成領域ＩＡに入射する。
【００６０】
集光レンズ２８０Ｒは、リレーレンズ３００からの照明光束を液晶装置４００Ｒの画像形成領域ＩＡ上にほぼ重畳させるものである。他の液晶装置４００Ｇ，４００Ｂの光路前段に配設される集光レンズ２８０Ｇ，２８０Ｂも、集光レンズ２８０Ｒと同様に構成されている。
【００６１】
第１ダイクロイックミラー２１０を通過した緑色光成分及び青色光成分のうち緑色光成分は、第２ダイクロイックミラー２２０によって反射され、集光レンズ２８０Ｇを通過して緑色光用の液晶装置４００Ｇの画像形成領域ＩＡを照明する。一方、青色光成分は、第２ダイクロイックミラー２２０を透過し、入射側レンズ２６０、入射側の反射ミラー２４０、リレーレンズ２７０、射出側の反射ミラー２５０及び集光レンズ２８０Ｂを通過して青色光用の液晶装置４００Ｂの画像形成領域ＩＡを照明する。入射側レンズ２６０、リレーレンズ２７０及び反射ミラー２４０，２５０は、第２ダイクロイックミラー２２０を透過した青色光成分を液晶装置４００Ｂまで導く機能を有している。
【００６２】
なお、青色光の光路にこのような入射側レンズ２６０、リレーレンズ２７０及び反射ミラー２４０，２５０が設けられているのは、青色光の光路の長さが他の色光の光路の長さよりも長いため、光の発散等による光の利用効率の低下を防止するためである。実施形態に係るプロジェクタ１０００においては、青色光の光路の長さが長いのでこのような構成とされているが、赤色光の光路の長さを長くして、入射側レンズ２６０、リレーレンズ２７０及び反射ミラー２４０，２５０を赤色光の光路に用いる構成も考えられる。
【００６３】
液晶装置４００Ｒ，４００Ｇ，４００Ｂは、照明光束を画像情報に応じて変調してカラー画像を形成するものであり、光源装置１１０の照明対象となる。なお、図示を省略したが、集光レンズ２８０Ｒ，２８０Ｇ，２８０Ｂと各液晶装置４００Ｒ，４００Ｇ，４００Ｂとの間には、それぞれ入射側偏光板が介在配置され、各液晶装置４００Ｒ，４００Ｇ，４００Ｂとクロスダイクロイックプリズム５００との間には、それぞれ射出側偏光板が介在配置されている。これら入射側偏光板、液晶装置４００Ｒ，４００Ｇ，４００Ｂ及び射出側偏光板によって、入射する各色光の光変調が行われる。
液晶装置４００Ｒ，４００Ｇ，４００Ｂは、一対の透明なガラス基板に電気光学物質である液晶を密閉封入したものである。例えば、ポリシリコンＴＦＴをスイッチング素子として、与えられた画像情報に応じて、入射側偏光板から射出された１種類の直線偏光の偏光方向を変調する。
液晶４００Ｒ，４００Ｇ，４００Ｂとしては、「ｙ軸方向に沿った縦寸法：ｘ軸方向に沿った横寸法＝３：４の長方形」の平面形状を有する画像形成領域ＩＡ（後述する図３（ａ）参照。）を有する液晶装置を用いている。
【００６４】
色合成光学系としてのクロスダイクロイックプリズム５００は、射出側偏光板から射出された各色光毎に変調された光学像を合成して、カラー画像を形成する光学素子である。このクロスダイクロイックプリズム５００は、４つの直角プリズムを貼り合わせた平面視略正方形状をなし、直角プリズム同士を貼り合わせた略Ｘ字状の界面には、誘電体多層膜が形成されている。略Ｘ字状の一方の界面に形成された誘電体多層膜は、赤色光を反射するものであり、他方の界面に形成された誘電体多層膜は、青色光を反射するものであり、これらの誘電体多層膜によって赤色光及び青色光は曲折され、緑色光の進行方向と揃えられることにより、３つの色光が合成される。
【００６５】
クロスダイクロイックプリズム５００から射出されたカラー画像は、投写光学系６００によって拡大投写され、スクリーンＳＣＲ上で大画面画像を形成する。
【００６６】
次に、実施形態に係るプロジェクタ１０００の効果について説明する。
図３は、液晶装置４００Ｒ，４００Ｇ，４００Ｂの画像形成領域ＩＡにおける照明状態を説明するために示す図である。図３（ａ）は画像形成領域ＩＡにおける面内光強度分布を示す図であり、図３（ｂ）は画像形成領域ＩＡにおける面内光強度分布をグラフ化して示す図である。
【００６７】
実施形態に係るプロジェクタ１０００は、上記したように、導光部材１６０Ａを備えていることを特徴としている。
【００６８】
このため、実施形態に係るプロジェクタ１０００によれば、偏光分離層１５２Ａを透過した光束が通過する偏光変換素子１５０Ａの光射出面１５０Ａｏ１の領域と、偏光分離層１５２Ａ及び反射層１５４Ａで反射された光束が通過する偏光変換素子１５０Ａの光射出面１５０Ａｏ２の領域との境界部分に、局所的な光の不均一性が存在していたとしても、上記した導光部材１６０Ａの機能によって、導光部材１６０Ａから射出される照明光束の面内光強度分布を均一なものとすることができる。また、導光部材１６０Ａの光射出面１６０Ａｏを、液晶装置４００Ｒ，４００Ｇ，４００Ｂの画像形成領域ＩＡと共役な関係としたため、図３（ａ）及び図３（ｂ）に示すように、画像形成領域ＩＡに照射される照明光の均一度の低下を抑制することができる。その結果、スクリーンＳＣＲ上で均一な面内表示特性を得ることが可能となる。
【００６９】
また、実施形態に係るプロジェクタ１０００によれば、上記のように、インテグレータロッド１４０の光路後段に偏光変換素子１５０Ａが配置されているため、偏光変換素子１５０Ａから射出される照明光束の偏光度の低下を極力抑制することができる。
【００７０】
このため、実施形態に係るプロジェクタ１０００は、偏光変換素子１５０Ａから射出される照明光束の偏光度の低下を極力抑制することが可能で、かつ、スクリーンＳＣＲ上で均一な面内表示特性を得ることが可能なプロジェクタとなる。
【００７１】
実施形態に係るプロジェクタ１０００においては、図１及び図２に示すように、インテグレータロッド１４０の光射出面１４０ｏと偏光変換素子１５０Ａ（偏光分離プリズム１５１Ａ）の光入射面１５０Ａｉ及び偏光変換素子１５０Ａの光射出面１５０Ａｏ１，１５０Ａｏ２と導光部材１６０Ａの光入射面１６０Ａｉとは、それぞれ接着剤Ｃを介して接着されているため、インテグレータロッド１４０と偏光変換素子１５０Ａと導光部材１６０Ａとの間における望ましくない多重反射が抑制され、光利用効率が低下したり迷光レベルが上昇したりすることがなくなる。また、インテグレータロッド１４０と偏光変換素子１５０Ａと導光部材１６０Ａとを容易に一体化することができる。また、インテグレータロッド１４０と偏光変換素子１５０Ａと導光部材１６０Ａとの間において、装置組み立て後における位置ずれの発生を未然に防止することができる。
【００７２】
なお、実施形態に係るプロジェクタ１０００においては、インテグレータロッド１４０と偏光変換素子１５０Ａの基材（偏光変換素子１５０Ａにおける偏光分離層１５２Ａ、反射層１５４Ａ及びλ／２板１５６Ａ以外の部分）と導光部材１６０Ａとは、同一の材料からなる。また、接着剤Ｃとしては、インテグレータロッド１４０、偏光変換素子１５０Ａ及び導光部材１６０Ａとほぼ同じ屈折率を有する接着剤を用いている。
【００７３】
実施形態に係るプロジェクタ１０００においては、偏光分離プリズム１５１Ａの光入射面（偏光変換素子１５０Ａの光入射面１５０Ａｉ）の平面形状は、インテグレータロッド１４０の光射出面１４０ｏの平面形状と略同一であるため、インテグレータロッド１４０から射出される照明光束における光利用効率の向上を図ることができる。
【００７４】
実施形態に係るプロジェクタ１０００においては、導光部材１６０Ａの光射出面１６０Ａｏの平面形状は、液晶装置４００Ｒ，４００Ｇ，４００Ｂの画像形成領域ＩＡの平面形状と相似形であるため、導光部材１６０Ａから射出される照明光束における光利用効率の向上を図ることが可能となる。
【００７５】
また、実施形態に係るプロジェクタ１０００は、偏光変換素子１５０Ａの一部に空気層１５８Ａ（後述する図４（ｂ）参照。）が配設されていることも特徴としている。以下、実施形態に係るプロジェクタ１０００における偏光変換素子１５０Ａの構成と実施形態の比較例に係るプロジェクタ１０００ａにおける偏光変換素子１５０ａの構成とを比較して説明することにより、実施形態に係るプロジェクタ１０００における空気層１５８Ａの作用及び効果を詳細に説明する。
【００７６】
図４は、実施形態に係るプロジェクタ１０００における空気層１５８Ａの作用及び効果を説明するために示す概念図である。図４（ａ）は比較例における偏光変換素子１５０ａの構成と問題点を説明するために示す概念図であり、図４（ｂ）は実施形態における空気層１５８Ａの作用を説明するために示す概念図である。
【００７７】
比較例に係るプロジェクタ１０００ａ（図示せず。）においては、図４（ａ）に示すように、偏光変換素子１５０ａにおける偏光分離層１５２ａと反射層１５４ａとの間の領域には、空気層が配設されていない。これに対し、実施形態に係るプロジェクタ１０００においては、図４（ｂ）に示すように、偏光分離層１５２Ａを有する偏光分離プリズム１５１Ａと反射層１５４Ａを有する反射プリズム１５３Ａとの間に、低屈折率層としての空気層１５８Ａが配設されている。
【００７８】
比較例に係るプロジェクタ１０００ａにおいては、インテグレータロッド１４０の内面で多重反射された照明光束がインテグレータロッド１４０の光射出面１４０ｏから射出されるため、偏光変換素子１５０ａの光入射面１５０ａｉには様々な角度をもった光が入射することとなる。このような様々な角度をもった光の中には、偏光分離層１５２ａに入射することなく偏光変換素子１５０ａを通過してしまうような角度で偏光変換素子１５０ａの光入射面１５０ａｉに入射する光（図４（ａ）中に示す光Ｌ）が存在している。比較例に係るプロジェクタ１０００ａによれば、偏光分離層１５２ａと反射層１５４ａとの間の領域には空気層が配設されていないため、図４（ａ）中に示す光Ｌは、偏光分離層１５２ａに入射することなく偏光変換素子１５０ａを通過してしまう。その結果、偏光方向の揃った１種類の偏光光の中に一部非偏光光が混入してしまうため、偏光変換素子１５０ａから射出される照明光束の偏光度が低下してしまう。
【００７９】
しかしながら、実施形態に係るプロジェクタ１０００によれば、偏光分離プリズム１５１Ａと反射プリズム１５３Ａとの間に、低屈折率層としての空気層１５８Ａが配設されているため、偏光分離層１５２Ａに入射することなく偏光変換素子１５０Ａを通過してしまうような角度で偏光変換素子１５０Ａの光入射面１５０Ａｉに入射する光（図４（ｂ）中に示す光Ｌ’）を、偏光分離プリズム１５１Ａと空気層１５８Ａとの界面で反射し、偏光分離層１５２Ａに確実に入射させることが可能となる。その結果、偏光変換素子１５０Ａから射出される照明光束の偏光度の低下をさらに抑制することが可能となる。
【００８０】
実施形態に係るプロジェクタ１０００においては、低屈折率層は、空気層１５８Ａであるため、偏光分離プリズム１５１Ａと反射プリズム１５３Ａとを所定位置に並置するだけで上記の効果を得ることが可能となる。
なお、偏光分離プリズム１５１Ａと反射プリズム１５３Ａとの間隔は、例えば、５μｍに設定されている。
【００８１】
ここで、偏光分離プリズム１５１Ａと反射プリズム１５３Ａとの間隔が１μｍ未満であると、偏光分離層１５２Ａに入射することなく偏光変換素子１５０Ａを通過してしまうような角度で偏光変換素子１５０Ａの光入射面１５０Ａｉに入射する光（図４（ｂ）中に示す光Ｌ’）が、偏光分離プリズム１５１Ａと空気層１５８Ａとの界面で反射されずにそのまま偏光変換素子１５０Ａを通過してしまうおそれがあり、偏光変換素子１５０Ａから射出される照明光束の偏光度の低下を抑制することが容易ではなくなる。一方、偏光分離プリズム１５１Ａと反射プリズム１５３Ａとの間隔が１００μｍを超えると、この空気層１５８Ａにあたる部分が、画像形成領域ＩＡに照射される照明光において光強度の小さな領域として現れてしまい、画像形成領域ＩＡに照射される照明光の均一度が低下する結果、スクリーンＳＣＲ上で均一な面内表示特性を得ることが容易ではなくなる。
【００８２】
このため、偏光分離プリズム１５１Ａと反射プリズム１５３Ａとの間隔は、１μｍ〜１００μｍの範囲内であることが好ましい。
【００８３】
このように構成することにより、偏光分離層１５１Ａに入射することなく偏光変換素子１５０Ａを通過してしまうような角度で偏光変換素子１５０Ａの光入射面１５０Ａｉに入射する光（図４（ｂ）中に示す光Ｌ’）を、偏光分離プリズム１５１Ａと空気層１５８Ａとの界面で反射し、偏光分離層１５２Ａに確実に入射させることが可能となる。その結果、偏光変換素子１５０Ａから射出される照明光束の偏光度の低下をさらに抑制することが可能となる。また、空気層１５８Ａにあたる部分が、画像形成領域ＩＡに照射される照明光において光強度の小さな領域として現れてしまうことを抑制することができるため、画像形成領域ＩＡに照射される照明光の均一度の低下を抑制することが可能となる。その結果、スクリーンＳＣＲ上で均一な面内表示特性を容易に得ることが可能となる。
このような観点からいえば、偏光変換プリズム１５１Ａと反射プリズム１５３Ａとの間隔は、２μｍ〜１０μｍであることがさらに好ましい。
【００８４】
実施形態に係るプロジェクタ１０００においては、偏光分離プリズム１５１Ａにおける反射プリズム１５３Ａと対向する面及び反射プリズム１５３Ａにおける偏光分離プリズム１５１Ａと対向する面には、減反射膜Ｒがコーティングされているため、偏光分離プリズム１５１Ａの偏光分離層１５２Ａで反射されて反射プリズム１５３Ａの反射層１５４Ａへと向かう光束について、偏光分離プリズム１５１Ａと空気層１５８Ａとの界面及び空気層１５８Ａと反射プリズム１５３Ａとの界面における望ましくない反射が抑制され、光利用効率が低下したり迷光レベルが上昇したりすることがなくなる。
【００８５】
以上、本発明のプロジェクタを上記の実施形態に基づいて説明したが、本発明は上記の実施形態に限定されるものではなく、その要旨を逸脱しない範囲において種々の態様において実施することが可能であり、例えば次のような変形も可能である。 
【００８６】
［変形例１］
図５は、実施形態の変形例１に係るプロジェクタ１０００ｂを説明するために示す図である。なお、図５において、図２と同一の部材については同一の符号を付し、詳細な説明は省略する。
【００８７】
実施形態の変形例１に係るプロジェクタ１０００ｂ（図示せず。）は、実施形態に係るプロジェクタ１０００とは、導光部材の構成が異なっている。すなわち、実施形態の変形例１に係るプロジェクタ１０００ｂにおいては、図５に示すように、導光部材として、中空の導光部材１６０Ｂを用いている。
【００８８】
導光部材１６０Ｂは、偏光変換素子１５０Ａからの照明光束における面内光強度分布を均一化する機能を有する光学素子である。導光部材１６０Ｂとしては、例えば４枚の反射ミラーにおける反射面を内側に向けて貼り合わせた筒状のライトトンネルなどを好適に用いることができる。
【００８９】
導光部材１６０Ｂの光射出面１６０Ｂｏと各液晶装置４００Ｒ，４００Ｇ，４００Ｂ（図示せず。）の画像形成領域ＩＡとは共役の関係となるため、導光部材１６０Ｂの光射出面１６０Ｂｏの形状と画像形成領域ＩＡの平面形状とは略相似の関係となる。
【００９０】
なお、導光部材１６０Ｂ以外の構成については実施形態に係るプロジェクタ１０００と同じであるため、詳細な説明は省略する。
【００９１】
このように、実施形態の変形例１に係るプロジェクタ１０００ｂは、実施形態に係るプロジェクタ１０００とは、導光部材の構成が異なっているが、実施形態に係るプロジェクタ１０００の場合と同様に、偏光変換素子１５０Ａから射出される照明光束の面内光強度分布をより均一なものとすることができる。
【００９２】
［変形例２］
図６は、実施形態の変形例２に係るプロジェクタ１０００ｃを説明するために示す図である。なお、図６において、図２と同一の部材については同一の符号を付し、詳細な説明は省略する。
【００９３】
実施形態の変形例２に係るプロジェクタ１０００ｃ（図示せず。）は、実施形態に係るプロジェクタ１０００とは、偏光変換素子の構成が異なっている。すなわち、実施形態の変形例２に係るプロジェクタ１０００ｃにおける偏光変換素子１５０Ｂは、図６に示すように、偏光分離層１５２Ｂを有する直方体形状の偏光分離プリズム１５１Ｂと、外面の１つに全反射膜１５４Ｂが配置された三角柱形状の反射プリズム１５３Ｂとを有している。
【００９４】
なお、偏光変換素子１５０Ｂ以外の構成については実施形態に係るプロジェクタ１０００と同じであるため、詳細な説明は省略する。
【００９５】
このように、実施形態の変形例２に係るプロジェクタ１０００ｃは、実施形態に係るプロジェクタ１０００とは、偏光変換素子の構成が異なっているが、実施形態に係るプロジェクタ１０００の場合と同様に、インテグレータロッド１４０からの照明光束の偏光方向を、偏光方向の揃った略１種類の直線偏光光として射出することができる。
【００９６】
以上、実施形態に係るプロジェクタ１０００の変形例について、図５及び図６を用いて説明したが、本発明はこれに限定されるものではなく、次のような変形も可能である。
【００９７】
（１）上記実施形態に係るプロジェクタ１０００においては、低屈折率層として、空気層１５８Ａが配設されている場合を例示して説明したが、本発明はこれに限定されるものではなく、偏光分離プリズム１５１Ａと反射プリズム１５３Ａとの間に、偏光変換素子１５０Ａの基材（偏光変換素子１５０Ａにおける偏光分離層１５２Ａ、反射層１５４Ａ及びλ／２板１５６Ａ以外の部分）の屈折率よりも低い屈折率を有する層が配設されていればよい。また、このような低屈折率層は、単層であってもよいし、複数の層が積層されたものであってもよい。
【００９８】
（２）上記実施形態に係るプロジェクタ１０００においては、電気光学変調装置として、「ｙ軸方向に沿った縦寸法：ｘ軸方向に沿った横寸法＝３：４の長方形」の平面形状を有する画像形成領域ＩＡを有する液晶装置４００Ｒ，４００Ｇ，４００Ｂを用いているが、本発明はこれに限定されるものではなく、「ｙ軸方向に沿った縦寸法：ｘ軸方向に沿った横寸法＝９：１６の長方形」の平面形状を有する画像形成領域を有する液晶装置を用いてもよい。この場合、インテグレータロッドの光射出面（光入射面）の形状は、「画像形成領域の平面形状と略相似である導光部材の光射出面の形状に対して、ｙ軸方向に沿った寸法が略同一でありｘ軸方向に沿った寸法が略半分である長方形」であることが好ましい。すなわち、インテグレータロッドの光射出面（光入射面）の縦横比が９：８であることが好ましい。
【００９９】
（３）上記実施形態に係るプロジェクタ１０００は透過型のプロジェクタであるが、これに限定されるものではない。本発明は反射型のプロジェクタにも適用することが可能である。ここで、「透過型」とは、透過型の液晶装置等のように光変調手段としての電気光学変調装置が光を透過するタイプであることを意味しており、「反射型」とは、反射型の液晶装置のように光変調手段としての電気光学変調装置が光を反射するタイプであることを意味している。反射型のプロジェクタにこの発明を適用した場合にも、透過型のプロジェクタと同様の効果を得ることができる。 
【０１００】
（４）上記実施形態に係るプロジェクタ１０００においては、インテグレータロッド１４０として、内面全反射タイプの中実のガラスロッドを用いているが、本発明はこれに限定されるものではなく、例えば、４枚の反射ミラーにおける反射面を内側に向けて貼り合わせた筒状のライトトンネルなどの中空のロッドを用いてもよい。
【０１０１】
（５）この他、本発明は、投写画像を観察する側から投写するフロント投写型プロジェクタにも、投写画像を観察する側とは反対の側から投写するリア投写型プロジェクタにも適用できることはいうまでもない。
【図面の簡単な説明】
【０１０２】
【図１】実施形態に係るプロジェクタ１０００の光学系を示す図。
【図２】偏光変換素子１５０Ａの機能を説明するために示す概念図。
【図３】液晶装置４００Ｒ，４００Ｇ，４００Ｂの画像形成領域ＩＡにおける照明状態を説明するために示す図。
【図４】実施形態に係るプロジェクタ１０００における空気層１５８Ａの作用及び効果を説明するために示す概念図。
【図５】実施形態の変形例１に係るプロジェクタ１０００ｂを説明するために示す図。
【図６】実施形態の変形例２に係るプロジェクタ１０００ｃを説明するために示す図。
【図７】従来の他のプロジェクタ９００における問題点を説明するために示す図。
【符号の説明】
【０１０３】
１００…照明装置、１００ａｘ…照明光軸、１１０，９１０…光源装置、１１２，９１２…発光管、１１４，９１４…楕円面リフレクタ、１１６…補助ミラー、１４０，９４０…インテグレータロッド、１４０ｉ，９４０ｉ…（インテグレータロッドの）光入射面、１４０ｏ，９４０ｏ…（インテグレータロッドの）光射出面、１５０Ａ，１５０Ｂ，１５０ａ，９５０…偏光変換素子、１５０Ａｉ，１５０ａｉ，１５０Ｂｉ，９５０ｉ…（偏光変換素子の）光入射面、１５０Ａｏ１，１５０Ａｏ２，１５０Ｂｏ１，１５０Ｂｏ２，９５０ｏ…（偏光変換素子の）光射出面、１５１Ａ，１５１Ｂ…偏光分離プリズム、１５２Ａ，１５２Ｂ，１５２ａ，９５２…偏光分離層、１５３Ａ，１５３Ｂ…反射プリズム、１５４Ａ，１５４ａ…反射層、１５４Ｂ，９５４…全反射膜、１５６Ａ，１５６Ｂ，１５６ａ，９５６…λ／２板、１５８Ａ…空気層、１６０Ａ，１６０Ｂ…導光部材、１６０Ａｉ，１６０Ｂｉ…（導光部材の）光入射面、１６０Ａｏ，１６０Ｂｏ…（導光部材の）光射出面、２００…色分離導光光学系、２１０…第１ダイクロイックミラー、２２０…第２ダイクロイックミラー、２３０，２４０，２５０…反射ミラー、２６０…入射側レンズ、２７０，３００，９６０…リレーレンズ、２８０Ｒ，２８０Ｇ，２８０Ｂ，９７０…集光レンズ、４００Ｒ，４００Ｇ，４００Ｂ，９８０…液晶装置、５００…クロスダイクロイックプリズム、６００…投写光学系、９００，１０００…プロジェクタ、Ｃ…接着剤、ＩＡ，Ｉａ…画像形成領域、Ｌ，Ｌ’…光、Ｐ…Ｐ偏光成分、Ｒ…減反射膜、Ｓ…Ｓ偏光成分、ＳＣＲ…スクリーン
【図２】
2007072250.tif 000003
【図４】
2007072250.tif 000004
【図５】
2007072250.tif 000005
【図６】
2007072250.tif 000006
【図１】
2007072250.tif 000007
【図３】
2007072250.tif 000008
【図７】
2007072250.tif 000009